(57)【特許請求の範囲】
【請求項１】
互いに重ねられる第１ケース部材及び第２ケース部材を備えた筐体と、
前記第１ケース部材及び第２ケース部材の間に、前記第１ケース部材に主面を対向させて配置された基板と、
前記基板の前記主面に配置された電子部品と、
前記第１ケース部材の前記基板側において前記電子部品に対向する位置に配置され、電気信号と音響信号とを変換する電気音響変換部と、
前記電気音響変換部に被せられて前記音響変換部を前記第１ケース部材に対して固定する保持部材と、を備え、
前記第１ケース部材には、前記基板側に突出するケースリブが設けられ、
前記保持部材には、前記ケースリブとにより前記電子部品を囲む保持部材リブが設けられ、
前記第１ケース部材及び前記保持部材は、前記電子部品を囲む領域において導電性を有し、前記基板のグランドに電気的に接続され、
前記電気音響変換手段はスピーカであり、
前記電子部品は、前記スピーカにより音響信号に変換される電気信号を生成する音源部、及び前記スピーカに接続されて前記音源部からの前記電気信号を前記スピーカに供給する端子のうち一方であり、
前記音源部及び前記端子のうち他方は、前記電子部品を囲む領域外に配置されている携帯端末装置。
【請求項２】
筐体と、
前記筐体の内部に配置された基板と、
前記基板の主面に配置された電子部品と、
前記筐体の前記基板側において前記電子部品に対向する位置に配置され、電気信号と音響信号とを変換する電気音響変換部と、
前記電気音響変換部を前記筐体に対して固定する保持部材と、を備え、
前記筐体には、前記基板側に突出するケースリブが設けられ、
前記保持部材には、前記ケースリブとにより連続した壁をなして前記電子部品を囲む保持部材リブが設けられ、
前記筐体及び前記保持部材は、前記電子部品を囲む領域において導電性を有し、前記基板のグランドに電気的に接続されている携帯端末装置。
【請求項３】
通信網との無線信号を送受信するアンテナをさらに備え、
前記アンテナは、前記ケースリブと前記保持部材リブとに囲まれる領域外に設けられている請求項１または２に記載の携帯端末装置。
【請求項４】
前記筐体には、前記基板における前記電子部品が配置された側と反対側の主面側に、押圧操作が可能な押圧スイッチが配置される、ことを特徴とする請求項１乃至請求項３のいずれか一項に記載の携帯端末装置。
【発明の詳細な説明】
【技術分野】
【０００１】
本発明は、携帯電話機やノートパソコン等の携帯端末装置に関する。
【背景技術】
【０００２】
受話用のスピーカ、報知用のスピーカ、送話用のマイクロフォン等の電気音響変換部を備えた携帯端末装置が知られている（例えば特許文献１）。電気音響変換部は、筐体外部への放音又は筐体外部から集音を効率的に行うために、筐体内側面に近づけて配置される。一方、携帯端末装置は薄型化が進められており、筐体内側面と、高周波回路等の電子部品が配置された基板との距離も短くなっている。従って、電気音響変換部は、基板に対して比較的近い位置に配置されている。
【特許文献１】特開２００４−２５４０２６号公報
【発明の開示】
【発明が解決しようとする課題】
【０００３】
しかし、電気音響変換部はシールドされておらず、電気音響変換部の周囲においては、基板に電子部品を配置することができない。このため、部品の配置の自由度や電気音響変換部付近のコンパクト化が制限される。また、電気音響変換部をシールドして電子部品を配置することとすれば、シールド部材を設けなければならないことから、部品点数の増加を招き、電気音響変換部付近のコンパクト化も妨げられる。
【０００４】
本発明の目的は、電気音響変換部付近に電子部品を配置可能な携帯端末装置を提供することにある。
【課題を解決するための手段】
【０００５】
本発明の携帯端末装置は、互いに重ねられる第１ケース部材及び第２ケース部材を備えた筐体と、前記第１ケース部材及び第２ケース部材の間に、前記第１ケース部材に主面を対向させて配置された基板と、前記基板の前記主面に配置された電子部品と、前記第１ケース部材の前記基板側において前記電子部品に対向する位置に配置され、電気信号と音響信号とを変換する電気音響変換部と、前記電気音響変換部に被せられて前記音響変換部を前記第１ケース部材に対して固定する保持部材と、を備え、前記第１ケース部材には、前記基板側に突出するケースリブが設けられ、前記保持部材には、前記ケースリブとにより前記電子部品を囲む保持部材リブが設けられ、前記第１ケース部材及び前記保持部材は、前記電子部品を囲む領域において導電性を有し、前記基板のグランドに電気的に接続されている。
【０００６】
好適には、前記電気音響変換手段はスピーカであり、前記電子部品は、前記スピーカにより音響信号に変換される電気信号を生成する音源部、及び前記スピーカに接続されて前記音源部からの前記電気信号を前記スピーカに供給する端子のうち一方であり、前記音源部及び前記端子のうち他方は、前記電子部品を囲む領域外に配置されている。
【０００７】
好適には、通信網との無線信号を送受信するアンテナをさらに備え、前記アンテナは、前記ケースリブと前記保持部材リブとに囲まれる領域外に設けられている。
【発明の効果】
【０００８】
本発明の携帯端末装置によれば、電気音響変換部付近に電子部品を配置できる。
【発明を実施するための最良の形態】
【０００９】
図１及び図２は、本発明の実施形態に係る携帯電話機１を示す外観斜視図である。携帯電話機１はいわゆる折り畳み式の携帯電話機として構成されており、図１は開状態を、図２（ａ）及び図２（ｂ）は閉状態をそれぞれ示している。
【００１０】
携帯電話機１は、受話筐体２と、送話筐体３とを備えている。受話筐体２及び送話筐体３は、それぞれの端部が連結部４により連結されており、携帯電話機１は、連結部４側を回動の中心として開閉可能である。受話筐体２及び送話筐体３は、それぞれ概ね薄型直方体に形成されており、閉状態では互いに重ね合わされ、一方の筐体側から他方の筐体側を見たときに互いの輪郭が略一致するようになっている。
【００１１】
受話筐体２は、閉状態で送話筐体３に対向する面側の正面側ケース６と、その背面側の背面側ケース７とを備えている。正面側ケース６及び背面側ケース７は、例えば樹脂によりそれぞれ成形されている。受話筐体２の正面側ケース６には、通話用のスピーカの放音口１３が開口している。
【００１２】
受話筐体２には、正面に画像を表示するメイン表示部１１と、背面に画像を表示するサブ表示部１２とが設けられている。メイン表示部１１及びサブ表示部１２は、例えば液晶表示ディスプレイによって構成されている。
【００１３】
送話筐体３は、閉状態で受話筐体２に対向する面側の正面側ケース（第２ケース部材）８と、その背面側の背面側ケース（第１ケース部材）９と、背面側ケース９の背面側に被せられる蓋体１０とを備えている。正面側ケース８、背面側ケース９及び蓋体１０は、例えば樹脂によりそれぞれ成形されている。送話筐体３の正面側ケース８には通話用のマイクの集音口１８が開口し、蓋体１０には報知用スピーカの放音口１９が開口している。
【００１４】
送話筐体３には、ユーザの操作を受け付ける操作部１７が設けられている。操作部１７には、例えばテンキー１７ａ、カーソルキー１７ｂ、ファンクションキー１７ｃ等の各種ボタンが配置されており、正面側ケース８より露出するようになっている。
【００１５】
図３は、送話筐体３内部の概略構成を示す分解斜視図である。送話筐体３においては、正面側ケース８、キーアセンブリ２１、基板アセンブリ２２、背面側ケース９、蓋体１０の順に積層される。キーアセンブリ２１及び基板アセンブリ２２は、正面側ケース８と背面側ケース９とをねじ等により互いに固定することにより、正面側ケース８及び背面側ケース９に挟まれて固定される。なお、正面側ケース８や背面側ケース９には、キーアセンブリ２１や基板アセンブリ２２を位置決めするための不図示のボス等が設けられている。
【００１６】
キーアセンブリ２１は、シリコン等により形成されたキーシート２４上に、テンキー１７ａ、カーソルキー１７ｂ、ファンクションキー１７ｃ等が接合されて構成されている。
【００１７】
基板アセンブリ２２は、基板２６と、基板２６のキーアセンブリ２１側に被せられるシールドケース２７と、シールドケース２７上に配置されるフレキシブルプリント配線板（ＦＰＣ）２８とを備えている。シールドケース２７は、基板２６に設けられた高周波回路等をシールドしている。ＦＰＣ２８は、キーアセンブリ２１側に複数の押圧スイッチ３１を備えている。押圧スイッチ３１は、各種キー１７ａ〜１７ｃへの押圧操作によりオンオフされる。
【００１８】
図４は、基板２６の背面側ケース９側の主面２６ｓを示す斜視図である。基板２６は、例えばパターン層、絶縁層、グランド層、電源層を積層した多層式のプリント基板として構成されており、基板２６の主面２６ｓは、絶縁層２６ａ上にグランドライン２６ｂが配置されて形成されている。グランドライン２６ｂは、金属等の導電性材料からなり、グランド層に接続され、また、縦横に延びて主面２６ｓを複数の区画に区切っている。
【００１９】
グランドライン２６ｂにより区切られた各区画には、種々の電子部品が配置されている。種々の電子部品には、例えば、後述するスピーカ４２（図５）により音響信号に変換される電気信号を生成する音源ＩＣ（音源部）３５、スピーカ４２に接続される端子３６、受話筐体２から延びる信号線を基板２６に接続するためのコネクタ３７、記録媒体が挿脱されるスロット部３８、通信網との間で無線信号を送受するアンテナ３９が含まれる。なお、同一の区画に配置される複数の電子部品は、基本的には一つのモジュールを形成している。
【００２０】
音源ＩＣ３５は、例えば、ＣＰＵ、ＲＡＭ、ＲＯＭ等を含んで構成され、ユーザに着信を知らせるための着信音や楽曲等の音源データを保持している。音源ＩＣ３５は、不図示の制御部から着信音や楽曲の出力を指示する制御信号が入力されると、制御信号により指定された音源データを選択して読み出し、その音源データを音の強弱や高低に対応したパターンの電気信号に変換して出力する。
【００２１】
また、アンテナ３９はグランドライン２６ｂで区切られた区画よりも外側に配されており、音源ＩＣ３５、端子３６とは同じ区画には配置されないようにしている。
【００２２】
端子３６は、音源ＩＣ３５が配置された区画２６ｅに隣接する区画２６ｆに配置されている。端子３６は、絶縁層２６ａよりも下層（紙面奥手側）のパターン層を介して音源ＩＣ３５と電気的に接続されており、音源ＩＣ３５からの電気信号は端子３６へ出力される。
【００２３】
図５は、背面側ケース９の基板２６側（内側）を示す分解斜視図である。図６は、背面側ケース９を蓋体１０側（外側）から示す図である。なお、図５では、スロット部３８（図４参照）の挿入口を塞ぐ部材４１等を背面側ケース９に取り付けた状態で示している。
【００２４】
背面側ケース９は、全体として内側を凹とする箱体状に形成されている。図６に示すように、背面側ケース９の外側には、比較的広い範囲に亘ってバッテリーを収納するための凹部５１が形成されており、図５に示すように、背面側ケース９の内側は、内側面の大部分を占め、凹部５１の底部により形成される平面５２と、平面５２に対して凹となる凹部５３とが形成されている。
【００２５】
平面５２及びその周囲には、基板２６側に突出するケースリブ５４が設けられている。ケースリブ５４は、基板２６のグランドライン２６ｂのパターンに略一致するように延びており、背面側ケース９を複数の区画に区切っている。ケースリブ５４は、基板２６と背面側ケース９とが積層されたときに、基板２６の主面２６ｓに当接する高さを有している。換言すれば、基板２６の主面２６ｓに配置される電子部品の高さと同等以上の高さに設定されている。
【００２６】
平面５２には、ケースリブ５４も含め、メッキ処理が施され、導電膜Ｆ１が形成されている。ケースリブ５４には、複数の切り欠き部５５が形成されている。図４に示すように、基板２６には、切り欠き部５５に対向する位置に、グランドライン２６ｂに接続されたばね接点７１が形成されている。基板２６と背面側ケース９とを積層すると、ばね接点７１は切り欠き部５５に当接し、平面５２の導電膜Ｆ１は基板２６のグランドに接続される。
【００２７】
図５に示すように、凹部５３は、受話筐体２と送話筐体３とが連結される側の端部に位置している。凹部５３には、着信音や楽曲を出力するスピーカ（電気音響変換部）４２が取り付けられる。具体的には以下のとおりである。
【００２８】
背面側ケース９には、背面側ケース９の外側を凹とする導音凹部５６（図６）が形成されている。導音凹部５６は、背面側ケース９の内側（凹部５３）においては、突出部５６′（図５）を形成している。突出部５６′には、スピーカ４２が挿入される凹部５７が形成されている。なお、凹部５７は、導音凹部５６においては突出部５７′（図６）を形成している。凹部５７は、スピーカ４２が嵌合する形状に形成されており、底部にはスピーカ４２の径よりも小径の開口部５８が形成されている。
【００２９】
スピーカ４２は、例えば略円盤状に形成されており、円盤の一方の面に放音部４２ａを、他方の面に電極部４２ｂを備えている。放音部４２ａは、不図示の振動板を備えており、電極部４２ｂは不図示の接点を備えている。スピーカ４２は、放音部４２ａ側を開口部５８に向けて凹部５７に挿入される。凹部５７には、保持部材４３が被せられ、スピーカ４２は凹部５７の底部と保持部材４３とに挟まれて固定される。
【００３０】
保持部材４３は、例えば、凹部５３に嵌め込み可能な大きさを有する樹脂部材であり、全体としては概ね板状に形成されている。保持部材４３には、貫通孔４３ａが設けられており、貫通孔４３ａに挿通された不図示のボルトが背面側ケース９に設けられたネジボス５９に螺合されることにより、保持部材４３は背面側ケース９に対して固定される。保持部材４３には、スピーカ４２の電極部４２ｂと、端子３６とを接続するための開口部４３ｃが設けられている。
【００３１】
なお、スピーカ４２から出力された音は、導音凹部５７及び蓋体１０により形成される同音空間を介して、放音口１９（図１参照）及び放音口６０（図６参照）から筐体外部へ放音される。
【００３２】
携帯電話機１では、保持部材４３に、スピーカ４２への静電気の遮断、基板２６の実装部品のシールド、キー１７ａ〜１７ｃへの押圧操作の際の基板変形の防止等の機能を持たせている。具体的には以下のとおりである。
【００３３】
保持部材４３の基板２６側の面４３ｂには、基板２６側に突出する保持部材リブ６５が設けられている。保持部材リブ６５（６５ａ、６５ｂ、６５ｃ）は、基板２６のグランドライン２６ｂのパターンの一部に略一致するように延びている。従って、保持部材リブ６５（６５ａ、６５ｂ、６５ｃ）は、グランドライン２６ｂに区切られた複数の区画のうち、保持部材４３と少なくとも一部が重なる区画を、背面側ケース９の平面５２のケースリブ５４（５４ａ、５４ｂ、５４ｃ、５４ｅ、５４ｆ）とによってそれぞれ連続した壁をなし、囲むことになる。具体的には、図４に示す、区画２６ｅ及び区画２６ｆが、保持部材リブ６５及びケースリブ５４によって囲まれる。
【００３４】
図７は、背面側ケース９及び保持部材４３に、区画２６ｅと区画２６ｆとが重なる様子を示している。図中、ハッチングして示す領域が区画２６ｅ及び区画２６ｆであり、区画２６ｅは、ケースリブ５４の縦部５４ａ、横部５４ｂ、縦部５４ｃ、保持部材リブ６５の縦部６５ａ、横部６５ｂの紙面右半分、縦部６５ｃにより囲まれている。区画２６ｆは、ケースリブ５４の縦部５４ｅ、横部５４ｆ、保持部材リブ６５の横部６５ｂの紙面左半分、縦部６５ｃにより囲まれている。
【００３５】
なお、区画２６ｅは、スピーカ４２（図７では保持部材４３により隠れて不図示）と重なっている。また、スピーカ４２と端子３６とを接続するための開口部４３ｃは、区画２６ｅと区画２６ｆとを仕切る縦部６５ｃよりも区画２６ｆ側に形成されている。また、区画２６ｇは、シールドされない領域であり、ここにアンテナ３９が配され、音源ＩＣ３５との干渉をなくしている。
【００３６】
保持部材リブ６５は、基板２６と背面側ケース９とが積層されたときに、基板２６の主面２６ｓに当接する高さを有している。換言すれば、背面側ケース９の平面５２を基準として、ケースリブ５４と同等の高さになるように設定されている。なお、保持部材４３の面４３ｂは、背面側ケース９の平面５２と略同じ高さになるように設定されている。
【００３７】
保持部材４３の基板２６側の面４３ｂには、保持部材リブ６５も含め、メッキ処理が施され、導電膜Ｆ２が形成されている。保持部材リブ６５には、複数の切り欠き部６６が形成されている。図４に示すように、基板２６には、切り欠き部６６に対向する位置に、グランドライン２６ｂに接続されたばね接点７２が形成されている。基板２６と背面側ケース９とを積層すると、ばね接点７２は切り欠き部６６に当接し、面４３ｂの導電膜Ｆ２は基板２６のグランドに接続される。
【００３８】
以上の実施形態によれば、ケースリブ５４と保持部材リブ６５とにより、音源ＩＣを囲み、その囲まれた区画２６ｅにおいては、背面側ケース９及び保持部材４３は導電性を有し、基板２６のグランドライン２６ｂに電気的に接続されているから、音源ＩＣとスピーカ４３との間のノイズの遮断はもとより、音源ＩＣと他の電子部品、例えば、端子３６との間のノイズの遮断もなされる。また、保持部材リブ６５によりキー押下時の基板２６の変形も防止され、さらには、スピーカ４３へ静電気が流れることも防止される。
【００３９】
また、ケースリブ５４及び保持部材リブ６５に囲まれる電子部品が音源ＩＣであることから、音源ＩＣからスピーカ４３までの距離が短かくなり、モジュールをコンパクトにすることができるとともに、音源ＩＣからスピーカ４３までの間におけるノイズの混入も低減される。
【００４０】
さらに、アンテナ３９が、区画２６ｅ、２６ｆのシールド領域外に配されるため、近傍に配しているにもかかわらず、互いにノイズの影響を受けない。
【００４１】
本発明は、以上の実施形態に限定されず、種々の態様で実施してよい。
【００４２】
電気音響変換部は、電気信号を音響信号に、又は、音響信号を電気信号に変換することができればよく、スピーカに限定されない。例えば、マイクロフォンであってもよい。ケースリブと、保持部材リブとによって囲まれる領域に設けられる電子部品は、どのような電子部品であってもよく、音源ＩＣに限定されない。
【００４３】
第１ケース部材及び保持部材は種々の方法で導電性を有するようにしてよく、メッキ処理により導電膜を形成するものに限定されない。例えば、金属粉を混入させた塗料等の導電性塗料を塗布することにより形成してもよいし、金属板を配置することにより形成してもよい。金属板を配置する場合には、金属板を折り曲げ加工して電子部品を囲むリブを形成してもよい。また、保持部材全体を金属により形成してもよい。
【図面の簡単な説明】
【００４４】
【図１】本発明の実施形態の携帯電話機を開状態で示す外観斜視図。
【図２】図１の携帯電話機を閉状態で示す外観斜視図。
【図３】図１の携帯電話機の送話筐体内部の概略構成を示す分解斜視図。
【図４】図３の送話筐体内部の基板を示す斜視図。
【図５】図３の送話筐体の背面側ケースを筐体内部側から見た斜視図。
【図６】図３の送話筐体の背面側ケースを筐体外部側から見た斜視図。
【図７】図３の送話筐体の背面側ケースを筐体内部側から見た正面図。
【符号の説明】
【００４５】
１…携帯電話機（携帯端末装置）、３…送話筐体、８…正面側ケース（第２ケース部材）、９…背面側ケース（第１ケース部材）、２６…基板、２６ｓ…主面、３５…音源ＩＣ（電子部品）、４２…スピーカ（電気音響変換部）、４３…保持部材、５４…ケースリブ、６５…保持部材リブ。
【図１】
0004485445.tif 000002
【図２】
0004485445.tif 000003
【図３】
0004485445.tif 000004
【図４】
0004485445.tif 000005
【図５】
0004485445.tif 000006
【図６】
0004485445.tif 000007
【図７】
0004485445.tif 000008